(57)【要約】【課題】装置の大型化やコストの上昇を抑えつつ、自らに接続される電力消費装置が消費する電力にかかわらず、電源の異常が発生したときにはバックアップすべきデータを保存する。【解決手段】商用交流電源１３から供給される電力を電源供給線１６等を介して内蔵ＣＤ／ＤＶＤドライブ装置３２やプリント機構５０に供給する電気配線３４にスイッチ３５が設けられ、電源供給線１６にコンデンサ１７が接続されたプリンタ１０において、商用交流電源１３からの電力の供給が停止して電源異常検出センサ２８から停電発生信号が出力されたときには、メインコントローラ２０は、コンデンサ１７に蓄えられた電気エネルギをＤＣ／ＤＣコンバータ３７を介して使用して、電気配線３４が切断されるようスイッチ３５を制御すると共にバックアップすべきデータをＥＥＰＲＯＭ３６，５８に保存する。【選択図】図１
2008140234.tif 000002
【特許請求の範囲】
【請求項１】
データを保存可能な不揮発性メモリと、
電源から直接又は間接的に所定の直流電圧を入力して第１の直流電圧に変換して出力する第１直流電圧生成手段と、
該第１直流電圧生成手段から出力された前記第１の直流電圧により駆動される制御手段と、
前記電源と前記第１直流電圧生成手段との間に接続され、前記所定の直流電圧が印加されることにより蓄電されるコンデンサと、
前記電源と前記第１直流電圧生成手段との間に前記コンデンサに対して並列に接続され、電力消費装置へ電力を供給可能な接続手段と、
前記電源と前記第１直流電圧生成手段との間から前記接続手段までの電気配線を接続・切断可能なスイッチング手段と、
を備え、
前記電源に異常が発生したときには、前記制御手段は、前記コンデンサに蓄えられた電気エネルギを前記第１直流電圧生成手段を介して使用して、前記電気配線が切断されるよう前記スイッチング手段を制御すると共にバックアップすべきデータを前記不揮発性メモリに記憶する、
電子機器。
【請求項２】
前記制御手段は、前記所定の直流電圧が所定の第１下限値を下回ったとき前記電源に異常が発生したとする、
請求項１に記載の電子機器。
【請求項３】
請求項１に記載の電子機器であって、
前記電源と前記第１直流電圧生成手段との間に設けられ、前記電源から前記所定の直流電圧より低い第２の直流電圧を入力し前記所定の直流電圧に昇圧して前記第１直流電圧生成手段へ出力する所定電圧生成手段を備え、
前記制御手段は、前記第２の直流電圧が所定の第２下限値を下回ったとき前記電源に異常が発生したとする、
電子機器。
【請求項４】
前記スイッチング手段はトランジスタを用いたスイッチである、
請求項１〜３のいずれかに記載の電子機器。
【請求項５】
請求項１〜４に記載の電子機器であって、
印刷を行う印刷手段を備え、
前記印刷手段は、該印刷手段の電力ラインが前記スイッチング手段と前記電力消費装置との間に前記電力消費装置に対して並列に接続されている手段である、
電子機器。
【請求項６】
電源から直接又は間接的に印加される所定の直流電圧により蓄電されるコンデンサを備えた電子機器のコンピュータソフトウェアによる制御方法であって、
（ａ）電源に異常が発生したか否かを判定するステップと、
（ｂ）前記ステップ（ａ）で、前記電源の異常が発生したと判定したときには、前記コンデンサに蓄えられている電気エネルギを前記所定の直流電圧より低い第１の直流電圧に変換された状態で使用しつつ、前記電子機器に接続された電力消費装置へ電力を供給する電気的な接続を切断すると共にバックアップすべきデータを不揮発的に記憶するステップと、
を含む制御方法。
【請求項７】
請求項６に記載の制御方法の各ステップを１又は複数のコンピュータに実現させるためのプログラム。
【発明の詳細な説明】
【技術分野】
【０００１】
本発明は、電子機器、その制御方法及びそのプログラムに関する。
【背景技術】
【０００２】
従来より、休止処理を行うコンピュータが知られている。例えば、特許文献１に記載のコンピュータは、停電時に用いられる簡易バックアップ電源及び補助電源を備え、停電が発生すると、簡易バックアップ電源からの電源供給によりプログラムの終了処理と主記憶部のデータを高速バッファに書き込む処理とを実行する一方、補助電源からの電源供給により高速バッファに書き込まれたデータを不揮発性記憶装置に書き込む処理を実行する。そして、プログラムの終了処理や高速バッファに書き込む処理が終了したときに簡易バックアップ電源からの電源供給を停止し、また、不揮発性記憶装置に書き込む処理が終了したときに、補助電源からの電源供給を停止する。なお、電源バックアップ時間及び消費電流が少なければ、簡易バックアップ電源や補助電源として大容量のコンデンサが使用されることもある。
【特許文献１】特開２００４−３４８６４１号公報
【発明の開示】
【発明が解決しようとする課題】
【０００３】
ところで、このようなコンピュータにＣＤ−Ｒドライブ等の電力消費装置を接続することが考えられる。
【０００４】
しかしながら、簡易バックアップ電源として、例えば大容量のコンデンサを用いているとき、電力消費装置を接続しこの電力消費装置が停電時にコンデンサに蓄えられたエネルギを消費する場合には、コンデンサに蓄えられているエネルギのみでは不足する場合が生じる。この場合、主記憶部のデータを高速バッファに書き込む処理等を正常に実行することができないこととなる。また、接続される電力消費装置のために無停電電源装置のような十分な容量の電源装置やより大容量のコンデンサを使用するとなれば、装置の大型化やコストの上昇等を招くこととなる。
【０００５】
本発明は、上述した課題に鑑みなされたものであり、装置の大型化やコストの上昇を抑えつつ、自らに接続される電力消費装置が消費する電力にかかわらず、電源の異常が発生したときにはバックアップすべきデータを保存することが可能な電子機器、その制御方法及びそのプログラムを提供することを目的とする。
【課題を解決するための手段】
【０００６】
本発明の電子機器、その制御方法及びそのプログラムは、上述の目的の少なくとも一部を達成するために以下の手段を採った。
【０００７】
本発明の電子機器は、
データを保存可能な不揮発性メモリと、
電源から直接又は間接的に所定の直流電圧を入力して第１の直流電圧に変換して出力する第１直流電圧生成手段と、
該第１直流電圧生成手段から出力された前記第１の直流電圧により駆動される制御手段と、
前記電源と前記第１直流電圧生成手段との間に接続され、前記所定の直流電圧が印加されることにより蓄電されるコンデンサと、
前記電源と前記第１直流電圧生成手段との間に前記コンデンサに対して並列に接続され、電力消費装置へ電力を供給可能な接続手段と、
前記電源と前記第１直流電圧生成手段との間から前記接続手段までの電気配線を接続・切断可能なスイッチング手段と、
を備え、
前記電源に異常が発生したときには、前記制御手段は、前記コンデンサに蓄えられた電気エネルギを前記第１直流電圧生成手段を介して使用して、前記電気配線が切断されるよう前記スイッチング手段を制御すると共にバックアップすべきデータを前記不揮発性メモリに記憶するものである。
【０００８】
この電子機器では、電源に異常が発生したときには、制御手段は、コンデンサに蓄えられた電気エネルギを第１直流電圧生成手段を介して使用して、電気配線が切断されるようスイッチング手段を制御すると共にバックアップすべきデータを不揮発性メモリに記憶する。このように、電気配線が切断された後は接続手段に接続された電力消費装置が電力を消費することはない。このため、コンデンサは、バックアップすべきデータを不揮発性メモリに記憶することが可能な電気エネルギを蓄積していれば足りる。したがって、装置の大型化やコストの上昇を抑えつつ、自らに接続される電力消費装置が消費する電力にかかわらず、電源の異常が発生したときにはバックアップすべきデータを保存することができる。
【０００９】
本発明の電子機器において、前記制御手段は、前記所定の直流電圧が所定の第１下限値を下回ったとき前記電源に異常が発生したとしてもよい。こうすれば、電源に異常が発生したことを確実に検出することができる。なお、所定の第１下限値は、例えば電源からの電力供給が継続しているときには取り得ない値に設定してもよい。
【００１０】
本発明の電子機器は、前記電源と前記第１直流電圧生成手段との間に設けられ、前記電源から前記所定の直流電圧より低い第２の直流電圧を入力し前記所定の直流電圧に昇圧して前記第１直流電圧生成手段へ出力する所定電圧生成手段を備え、前記制御手段は、前記第２の直流電圧が所定の第２下限値を下回ったとき前記電源に異常が発生したとしてもよい。電源に異常が発生して第２の直流電圧が変化する場合、所定の直流電圧も変化するが、所定電圧生成手段の出力側には異常発生まで所定の直流電圧が印加され電荷を蓄えていたコンデンサが接続されているため、所定の直流電圧の変化の速度は第２の直流電圧の変化の速度よりも遅い。したがって、所定の直流電圧に基づいて電源の異常を検出する場合に比べて、電源に異常が発生したことを早く確実に検出することができる。なお、所定の第２下限値は、例えば電源からの電力供給が継続しているときには取り得ない値に設定してもよい。
【００１１】
本発明の電子機器において、前記スイッチング手段はトランジスタを用いたスイッチであるとしてもよい。こうすれば、機械的なリレーを用いる場合に比べて電源の異常発生時に早く電気配線を切断することができる。
【００１２】
本発明の電子機器は、印刷を行う印刷手段を備え、前記印刷手段は、該印刷手段の電力ラインが前記スイッチング手段と前記電力消費装置との間に前記電力消費装置に対して並列に接続されている手段であるとしてもよい。こうすれば、電源の異常発生時において、スイッチング手段により電気配線を切断するときに併せて印刷手段への電力供給も停止することができる。
【００１３】
本発明の制御方法は、電源から直接又は間接的に印加される所定の直流電圧により蓄電されるコンデンサを備えた電子機器のコンピュータソフトウェアによる制御方法であって、
（ａ）電源に異常が発生したか否かを判定するステップと、
（ｂ）前記ステップ（ａ）で、前記電源の異常が発生したと判定したときには、前記コンデンサに蓄えられている電気エネルギを前記所定の直流電圧より低い第１の直流電圧に変換された状態で使用しつつ、前記電子機器に接続された電力消費装置へ電力を供給する電気的な接続を切断すると共にバックアップすべきデータを不揮発的に記憶するステップと、
を含むものである。
【００１４】
この電子機器の制御方法では、電源に異常が発生したか否かを判定し、電源の異常が発生したと判定したときには、コンデンサに蓄えられている電気エネルギを所定の直流電圧より低い第１の直流電圧に変換された状態で使用しつつ、電子機器に接続された電力消費装置へ電力を供給する電気的な接続を切断すると共にバックアップすべきデータを不揮発的に記憶する。このように、電気的な接続が切断された後は電子機器に接続された電力消費装置が電力を消費することはない。このため、コンデンサは、バックアップすべきデータを不揮発的に記憶することが可能な電気エネルギを蓄積していれば足りる。したがって、装置の大型化やコストの上昇を抑えつつ、電子機器に接続される電力消費装置が消費する電力にかかわらず、電源の異常が発生したときにはバックアップすべきデータを保存することができる。なお、上述した本発明の電子機器が備える各種の構成によって奏される作用・機能を実現するためのステップを追加してもよい。
【００１５】
本発明のプログラムは、上述した制御方法の各ステップを１又は複数のコンピュータに実行させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか複数のコンピュータに分散して実行させれば、上述した制御方法の各ステップが実行されるため、上述した制御方法と同様の作用効果が得られる。
【発明を実施するための最良の形態】
【００１６】
次に、本発明の実施の形態を図面に基づいて説明する。図１は、本発明の電子機器の一実施形態であるプリンタ１０の構成の概略を示す構成図である。
【００１７】
本実施形態のプリンタ１０は、図１に示すように、商用交流電源１３に接続される電源ユニット１２とプリント機構５０を内蔵するプリンタ本体１８とを備えている。
【００１８】
電源ユニット１２は、商用交流電源１３からの交流電圧をＡＣ／ＤＣコンバータ１４により２０Ｖの直流電圧に変換し、更にＤＣ／ＤＣコンバータ１５により４２Ｖの直流電圧へと昇圧し、その４２Ｖの直流電圧を電源供給線１６を介してプリンタ本体１８に供給するものである。この電源ユニット１２の内部には、電圧波形の余計な振動を除去して滑らかな波形にするためのコンデンサ１７が電源供給線１６に接続されている。このコンデンサ１７は、商用交流電源１３から電力が供給されているときは電源供給線１６に印加される電圧により蓄電される。そして、例えば商用交流電源１３からの電力供給が停止したときはこのコンデンサ１７に蓄えられている電気エネルギが電源供給線１６を介してプリンタ本体１８へ供給されることによりコンデンサ１７は放電し、その両極間の電圧は時間と共に低下する。このコンデンサ１７の容量は、後述するメインコントローラ２０がＥＥＰＲＯＭ３６，５８にバックアップすべきデータを書き込むのに要する時間やその時の消費電流を考慮して決定されている。ここでは、例えば、３００ｍｓの間メインコントローラ２０やＥＥＰＲＯＭ３６，５８が動作可能な程度の容量に決定されている。なお、商用交流電源１３の交流電圧は１００Ｖや２００Ｖである。
【００１９】
プリンタ本体１８は、電源供給線１６を介して４２Ｖの直流電圧が供給されて駆動するプリント機構５０と、５Ｖの直流電圧が供給されて駆動する内蔵ＣＤ／ＤＶＤドライブ装置３２へ４２Ｖの直流電圧を５Ｖの直流電圧へ変換して供給するＤＣ／ＤＣコンバータ３３と、電源供給線１６の分岐点Ａから分岐しＤＣ／ＤＣコンバータ３３及びプリント機構５０へ直流電圧を送電する電気配線３４と、この電気配線３４を接続・切断可能なスイッチ３５と、不揮発性メモリであるＥＥＰＲＯＭ３６，５８へのデータ書き込みやスイッチ３５のオン・オフ等を３．３Ｖの直流電圧が供給されて行うメインコントローラ２０と、このメインコントローラ２０やＥＥＰＲＯＭ３６，５８等へ４２Ｖの直流電圧を３．３Ｖの直流電圧へ変換して供給するＤＣ／ＤＣコンバータ３７とを備えている。
【００２０】
プリント機構５０は、プリンタ本体１８の内部に配置され、左右方向にループ状に架け渡されたタイミングベルト５１により駆動されガイド５２に沿って左右に往復動するキャリッジ５３と、このキャリッジ５３に搭載されシアン・マゼンタ・イエロー・ブラック等の各色のインクを個別に収容したインクカートリッジ５４と、各インクカートリッジ５４から供給された各インクに圧力をかけてノズルから用紙Ｐに向かってインクを吐出する印刷ヘッド５５と、給紙された用紙Ｐを手前側の排紙トレイ（図示せず）へ送り出す搬送ローラ５６とを備えている。印刷ヘッド５５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。このプリント機構５０のうち、搬送ローラ５６を回転させるモータやタイミングベルト５１を回転させるモータ、印刷ヘッド５５を駆動する駆動回路などには、電気配線３４からの４２Ｖの直流電圧が供給される。
【００２１】
ＤＣ／ＤＣコンバータ３３は、電気配線３４から４２Ｖの直流電圧を入力し５Ｖの直流電圧に降圧して内蔵ＣＤ／ＤＶＤドライブ装置３２へ出力する。内蔵ＣＤ／ＤＶＤドライブ装置３２は、この内蔵ＣＤ／ＤＶＤドライブ装置に挿入された例えばＣＤ−ＲやＤＶＤ−Ｒ等の書き込み可能な媒体へデータを書き込むことが可能なものである。この内蔵ＣＤ／ＤＶＤドライブ装置３２は、例えばプリンタ１０に搭載された図示しないメモリカードリーダライタに挿入したメモリカードに保存されているファイルを、内蔵ＣＤ／ＤＶＤドライブ装置３２に挿入されたＣＤ−ＲやＤＶＤ−Ｒ等の記録媒体にバックアップするときなどに利用される。
【００２２】
スイッチ３５は、電気配線３４の配線上に設けられ、そのオン・オフがメインコントローラ２０によって制御されている。このスイッチ３５は、例えばＦＥＴを使用したものであり、そのゲート電極にメインコントローラからの制御信号の電圧が印加されるとスイッチがオフとなって電流が流れず、ＤＣ／ＤＣコンバータ３３やプリント機構５０への直流電圧の供給が停止される。なお、スイッチ３５は、機械的なリレーを用いる時よりも早くオフにすることができ、その時間はおおよそ４０μｓから５０μｓ程度である。
【００２３】
ＤＣ／ＤＣコンバータ３７は、電源供給線１６の分岐点Ａで分岐した電気配線から４２Ｖの直流電圧を入力し３．３Ｖの直流電圧に降圧してメインコントローラ２０やＥＥＰＲＯＭ３６，５８へ出力するものである。ＥＥＰＲＯＭ３６は、プリンタ本体１８の内部に搭載された不揮発性メモリであり、また、ＥＥＰＲＯＭ５８は、プリンタ機構５０のインクカートリッジ５４のＩＣチップ５７に搭載された不揮発性メモリであり、それぞれバックアップすべきデータが書き込まれる。
【００２４】
メインコントローラ２０は、ＣＰＵ２２を中心とするマイクロプロセッサとして構成されており、各種処理プログラムや各種データなどを記憶したＲＯＭ２４と、一時的にデータを記憶するＲＡＭ２６と、電源供給線１６の電圧低下時に停電発生信号を出力する電源異常検出センサ２８とを備えている。この電源異常検出センサ２８は、電源供給線１６の直流電圧を図示しないＡ／Ｄ変換回路を介して入力し所定の下限電圧Ｖｒｅｆと比較する。そして、電源供給線１６の直流電圧が下限電圧Ｖｒｅｆを下回ったのをトリガとして割込信号（ＮＭＩ（Ｎｏｎ  Ｍａｓｋａｂｌｅ  Ｉｎｔｅｒｒｕｐｔ））である停電発生信号を出力する。メインコントローラ２０は、プリンタ本体１８に搭載されたＥＥＰＲＯＭ３６にバックアップすべきデータを書き込んだり、インクカートリッジ５４のＩＣチップ５７に搭載されたＥＥＰＲＯＭ５８にそのデータの一部であるインク残量を書き込んだり、スイッチ３５を制御して電気配線３４を接続・切断したりする。なお、このメインコントローラ２０は、ＣＰＵ２２等を１つのチップに混載することによりＳＯＣ（システム・オン・ア・チップ）としてもよい。また、下限電圧Ｖｒｅｆは、電源ユニット１２が正常なときには取り得ない値に設定してもよく、例えば３７Ｖや３８Ｖとしてもよい。
【００２５】
次に、こうして構成された本実施形態のプリンタ１０の動作について説明する。
【００２６】
図２は、プリンタ１０のＣＰＵ２２により実行される電源管理処理ルーチンの一例を示すフローチャートである。このルーチンは、プリンタ１０のＲＯＭ２４に記憶されている。また、このルーチンは、プリンタ１０の電源が投入された時に実行される。このルーチンが実行されると、プリンタ１０のＣＰＵ２２は、まず、電源異常検出センサ２８から停電発生信号が出力されたか否かを判定する（ステップＳ１００）。停電発生信号が出力されていないときは、商用交流電源１３から電力が正常に供給されているため、再びステップＳ１００の処理を実行する。
【００２７】
一方、ステップＳ１００で停電発生信号が出力されたと判定されたときは、電気配線３４が切断されるようスイッチ３５を制御し（ステップＳ１１０）、バックアップすべきデータをＲＡＭ２６から読み出してＥＥＰＲＯＭ３６，５８に書き込む（ステップＳ１２０）。ＲＡＭ２６からＥＥＰＲＯＭ３６，５８へのデータ転送は、例えば、バースト転送などのデータ転送に時間のかからない方法によって行うものとする。その後、本ルーチンを終了する。実際は、割込信号ＮＭＩとは、トリガがかかると必ず発生する割込信号なので、停電を検出した直後にＣＰＵ２２は、ステップＳ１００で肯定判定しステップＳ１１０の処理を実行する。ここで、電気配線３４が切断されるようスイッチ３５を制御するのは、電気配線３４が接続されたままだと、コンデンサ１７に蓄えられた電気エネルギがＤＣ／ＤＣコンバータ３３を介して内蔵ＣＤ／ＤＶＤドライブ装置３２によって消費されてしまうからである。このように電気配線３４を切断することで、コンデンサ１７に蓄えられた電気エネルギは、ＤＣ／ＤＣコンバータ３７を介してメインコントローラ２０及びＥＥＰＲＯＭ３６，５８によってのみ消費されることとなり、バックアップすべきデータをＥＥＰＲＯＭ３６，５８に書き込むのに必要な電気エネルギーが不足するという事態を回避することができる。ここで、バックアップすべきデータとは、ＲＡＭ２６に一時的に記憶されているためにメインコントローラ２０への電力供給が停止すると失われてしまうデータをいう。また、ＥＥＰＲＯＭ３６に書き込まれるデータとしては、例えば、プリント機構５０の各部における発熱状況、プリンタ１０の通電時間、プリント機構５０のメカの固有情報、印刷ヘッド５５の固有情報、エラーコードなどが挙げられ、ＥＥＰＲＯＭ５８に書き込まれるデータとしては、インクカートリッジ５４のインク残量などが挙げられる。なお、ＣＰＵ２２は、図２に示す電源管理処理ルーチンを実行しステップＳ１００の処理を繰り返し実行しているときであっても、印刷を実行する処理など他の処理を実行することが可能である。
【００２８】
図２の電源管理処理ルーチの実行中に、商用交流電源１３からの電力供給が停止した場合について図３を用いて説明する。図３は、電源供給線１６の直流電圧の時間変化の一例を表すグラフである。商用交流電源１３からの電力供給が停止つまり停電が発生すると、コンデンサ１７に蓄えられた電気エネルギがプリンタ本体１８で消費されることにより、電源供給線１６の直流電圧がコンデンサ１７の放電に伴って減少する。そして、所定の下限電圧Ｖｒｅｆを下回ったときに停電の発生が電源異常検出センサ２８によって検出される。すると、割込み信号である停電発生信号が電源異常検出センサ２８から出力され、ＣＰＵ２２は、電気配線３４が切断されるようスイッチ３５を制御する。こうすると、プリント機構５０や内蔵ＣＤ／ＤＶＤドライブ装置３２などで電力を消費されなくなるため、電源供給線１６の直流電圧の減少の時定数が変わり（図３の点Ｂ参照）、電源供給線１６の直流電圧がより緩やかに減少するようになる。そのため、メインコントローラ２０等の動作可能な時間が延びる。そして、ＣＰＵ２２は、この間に保存すべきデータをバックアップする。
【００２９】
ここで、本実施形態の構成要素と本発明の構成要素との対応関係を明らかにする。本実施形態のＥＥＰＲＯＭ３６，５８が本発明の不揮発性メモリに相当し、ＤＣ／ＤＣコンバータ３７が第１直流電圧生成手段に相当し、メインコントローラ２０が制御手段に相当し、コンデンサ１７がコンデンサに相当し、電気配線３４が接続手段に相当し、スイッチ３５がスイッチング手段に相当する。また、ＤＣ／ＤＣコンバータ１５が所定直流電圧生成手段に相当し、プリント機構５０が印刷手段に相当する。更に、商用交流電源１３が電源に相当し、４２Ｖの直流電圧が所定電圧に相当し、３．３Ｖの直流電圧が第１の直流電圧に相当し、２０Ｖの直流電圧が第２の直流電圧に相当する。なお、本実施形態では、プリンタ１０の動作を説明することにより本発明の電子機器の制御方法の一例も明らかにしている。
【００３０】
以上詳述した本実施形態のプリンタ１０によれば、商用交流電源１３からの電力の供給が停止して電源異常検出センサ２８から停電発生信号が出力されたときには、メインコントローラ２０は、コンデンサ１７に蓄えられた電気エネルギをＤＣ／ＤＣコンバータ３７を介して使用して、電気配線３４が切断されるようスイッチ３５を制御すると共にバックアップすべきデータをＥＥＰＲＯＭ３６，５８に保存する。このように、電気配線３４が切断された後は電気配線３４を介して接続された内蔵ＣＤ／ＤＶＤドライブ装置３２やプリント機構５０が電力を消費することはない。このため、コンデンサ１７は、バックアップすべきデータをＥＥＰＲＯＭ３６，５８に保存することが可能な電気エネルギを蓄積していれば足りる。したがって、プリンタ１０の大型化やコストの上昇を抑えつつ、プリンタ１０に接続される内蔵ＣＤ／ＤＶＤドライブ装置３２やプリント機構５０が消費する電力にかかわらず、商用交流電源１３の異常が発生したときにはバックアップすべきデータをＥＥＰＲＯＭ３６，５８に保存することができる。
【００３１】
また、メインコントローラ２０は、電源供給線１６の直流電圧が所定の下限値を下回ったとき商用交流電源１３からの電力供給が停止したと判定するため、商用交流電源１３に異常が発生したことを確実に検出することができる。更に、スイッチ３５は、ＦＥＴを用いたスイッチであるため、機械的なリレーを用いる場合に比べて商用交流電源１３の異常発生時に早く電気配線３４を切断することができる。
【００３２】
なお、本発明は上述した実施形態に何ら限定されることはなく、本発明の技術的範囲に属する限り種々の態様で実施し得ることはいうまでもない。
【００３３】
例えば、上述した実施形態では、メインコントローラ２０は、電源供給線１６の直流電圧が所定の下限値を下回ったとき電力供給が停止したと判定するものとしたが、それに代えて又は加えてＤＣ／ＤＣコンバータ１５の入力側の直流電圧が所定の閾値を下回ったとき電力供給が停止したと判定するものとしてもよい。商用交流電源１３の電力供給が停止してＤＣ／ＤＣコンバータ１５の入力側の電圧が低下する場合、電源供給線１６の電圧も低下するが、ＤＣ／ＤＣコンバータ１５の出力側には電力供給停止まで直流電圧が印加され電荷を蓄えていたコンデンサ１７が接続されているため、電源供給線１６の直流電圧の低下の速度はＤＣ／ＤＣコンバータ１５の入力側の直流電圧の低下の速度よりも遅い。したがって、電源供給線１６の電圧に基づいて商用交流電源１３の電力供給停止を検出する場合に比べて、商用交流電源１３の電力供給が停止したことを早く確実に検出することができる。なお、所定の閾値は、例えば商用交流電源１３からの電力供給が継続しているときには取り得ない値（例えば１７Ｖや１８Ｖなど）に設定してもよい。ここで、所定の閾値は本発明の第２下限値に相当する。
【００３４】
上述した実施形態では、スイッチ３５の下流に内蔵ＣＤ／ＤＶＤドライブ装置３２やプリンタ機構５０が接続されているものとしたが、それらに加えて又はそれらの代わりにそれら以外の機器が接続されているものとしてもよい。例えば、電気配線３４のうちスイッチ３５とＤＣ／ＤＣコンバータ３３との間から分岐された電気配線から適切なＤＣ／ＤＣコンバータにより降圧された直流電圧を用いて接続されるＵＳＢ機器が電力を消費するものとしてもよい。こうした場合でも、メインコントローラ２０により電気配線３４の電気的な接続が切断されたときには、このＵＳＢ機器が電力を消費しないため、このＵＳＢ機器が消費する電力にかかわらず、メインコントローラ２０はバックアップすべきデータをＥＥＰＲＯＭ３６，５８に書き込むことができる。この場合ＵＳＢ機器を接続するＵＳＢポートやＵＳＢコントローラ等を備えることとなる。
【００３５】
上述した実施形態では、商用交流電源１３から電力が供給されるものとしたが、電力を供給するものは商用交流電源１３に限られない。例えば、２０Ｖの直流電圧を出力可能な１又は複数のバッテリであってもよい。この場合、ＡＣ／ＤＣコンバータ１４は必要がない。
【００３６】
上述した実施形態では、ＦＥＴを用いたスイッチを用いるものとしたが、電気配線３４を接続・切断可能なものであれば、如何なるものを用いてもよい。例えば、ＦＥＴ以外のトランジスタを用いてもよい。
【００３７】
上述した実施形態では、インクジェット方式を採用し着色剤としてインクを利用するフルカラーのプリンタ１０としたが、電子写真方式を採用し着色剤としてトナーを利用しトナーカートリッジに備えた記憶素子にデータを書き込むカラーレーザプリンタや、熱転写方式を採用し着色剤としてインクリボンを利用し同様に記憶素子を備えたカラープリンタとしてもよい。また、ＦＡＸ機やコピー機などの印刷装置としてもよい。
【図面の簡単な説明】
【００３８】
【図１】プリンタ１０の概略構成図。
【図２】電源管理処理ルーチンの一例を示すフローチャート。
【図３】電源供給線１６の直流電圧の時間変化の一例を表すグラフ。
【符号の説明】
【００３９】
１０  マルチファンクションプリンタ、１２  電源ユニット、１３  商用交流電源、１４  ＡＣ／ＤＣコンバータ、１５  ＤＣ／ＤＣコンバータ、１６  電源供給線、１７  コンデンサ、１８  プリンタ本体、２０  メインコントローラ、２２  ＣＰＵ、２４  ＲＯＭ、２６  ＲＡＭ、２８  電源異常検出センサ、３２  内蔵ＣＤ／ＤＶＤドライブ装置、３３  ＤＣ／ＤＣコンバータ、３４  電気配線、３５  スイッチ、３６  ＥＥＰＲＯＭ、３７  ＤＣ／ＤＣコンバータ、５０  プリント機構、５１  タイミングベルト、５２  ガイド、５３  キャリッジ、５４  インクカートリッジ、５５  印刷ヘッド、５６  搬送ローラ、５７  ＩＣチップ、５８  ＥＥＰＲＯＭ、Ｐ  用紙。
【図１】
2008140234.tif 000003
【図２】
2008140234.tif 000004
【図３】
2008140234.tif 000005